(57)【特許請求の範囲】
【請求項１】
複数のボタン孔が形成されたパネルと、前記ボタン孔に嵌挿された複数の操作ボタンと、前記パネルの下側に設けられ、かつ前記操作ボタンを付勢する付勢部及び可動接点が前記操作ボタン毎に設けられた導電接点ゴムと、前記導電接点ゴムの下側に設けられ、かつ前記操作ボタンを押圧することにより、前記可動接点に接触される固定接点を有するプリント基板とによりなる電子機器のキーボード装置であって、前記プリント基板の下側に、前記操作ボタンの情報などを表示する液晶表示部を有する液晶表示器を設けると共に、前記パネルのボタン孔近傍に、前記液晶表示部に表示された情報を表出させる開口部を設け、更に、前記プリント基板と前記液晶表示器の間に、透明なガラス板を設けると共に、前記液晶表示器と前記ガラス板の間に隙間を形成して構成したことを特徴とする電子機器のキーボード装置。
【発明の詳細な説明】
【０００１】
【発明の属する技術分野】
本発明は操作性及び視認性を向上させた電子機器のキーボード装置に関する。
【０００２】
【従来の技術】
従来液晶表示部を有する電子機器においては、電子機器を操作する操作ボタンを液晶表示部の外側近傍に設けたものや、液晶表示部に表示された操作ボタンを指などでタッチするタッチパネルを採用したものなどがある。
【０００３】
【発明が解決しようとする課題】
しかし液晶表示部の外側近傍に操作ボタンを設けたもので、操作ボタンが多数ある場合、操作ボタンを設置するのに多くのスペースを必要とするため、電子機器が大型になるなどの問題がある。
【０００４】
また予め大きさが決まっている電子機器に多数の操作ボタンを設ける場合は、操作ボタンの大きさを小さくしたり、液晶表示部の大きさを小さくしなければならないため、操作ボタンの操作性が低下したり、液晶表示部の視認性が悪化するなどの問題がある。
【０００５】
一方液晶表示部にタッチパネルを採用したものでは、前記のような問題は生じないが、液晶表示部に表示された操作ボタンを指で触れた際、液晶表示部に脂や汚れが付着して、液晶表示部が見にくくなると共に、液晶表示部に表示された操作ボタンを指で触れた際にクリック感が得られないため、操作性が悪いなどの問題がある。
【０００６】
本発明はかかる従来の問題点を改善するためになされたもので、操作ボタンの操作性及び液晶表示部の視認性を向上させた電子機器のキーボード装置を提供することを目的とするものである。
【０００７】
【課題を解決するための手段】
前記目的を達成するため本発明の電子機器のキーボード装置は、複数のボタン孔が形成されたパネルと、ボタン孔に嵌挿された複数の操作ボタンと、パネルの下側に設けられ、かつ操作ボタンを付勢する付勢部及び可動接点が操作ボタン毎に設けられた導電接点ゴムと、導電接点ゴムの下側に設けられ、かつ操作ボタンを押圧することにより、可動接点に接触される固定接点を有するプリント基板とによりなる電子機器のキーボード装置であって、プリント基板の下側に、操作ボタンの情報などを表示する液晶表示部を有する液晶表示器を設けると共に、パネルのボタン孔近傍に、液晶表示部に表示された情報を表出させる開口部を設け、更に、プリント基板と前記液晶表示器の間に、透明なガラス板を設けると共に、液晶表示器とガラス板の間に隙間を形成して構成したものである。
【０００８】
前記構成により、電子機器を操作すべく操作ボタンを押圧すると、導電接点ゴムの付勢部が弾性変形する際クリック感が得られるため、操作ボタンの操作性が向上する。
【０００９】
また液晶表示部の上側に操作ボタンを設けたことから、多数の操作ボタンを設ける場合でも、電子機器が大型化することがないと共に、決められた大きさの電子機器に多数の操作ボタンを設ける場合でも、操作ボタンを小さくしたり、液晶表示部を小さくする必要がないので、操作ボタンの操作性が低下したり、液晶表示部の視認性が悪化することがない。
【００１１】
また、前記構成により、電子機器を操作すべく操作ボタンを押圧すると、操作ボタンに加えられた押圧力はプリント基板に設けられたガラス板に支持されるため、プリント基板が押圧力で変形しないように補強金具などでプリント基板を補強する必要がないので、キーボードの構造を簡単化することができる。
【００１２】
またガラス板と液晶表示部の間に設けられた隙間によって、操作ボタンに加えられた押圧力が直接液晶表示部に作用することがないので、操作ボタンの操作時液晶表示部にニュートンリングが発生することがないと共に、液晶表示部に指の脂や汚れなどが付着することがないので、長期間に亘って良好な視認性が得られるようになる。
【００１３】
【発明の実施の形態】
本発明の実施の形態を図１ないし図５に示す図面を参照して詳述する。
【００１４】
図１はキーボード装置が設けられた電子機器を示すもので、偏平な箱形のケース１の前面に前面パネル２が、そして後面にケース１を任意な角度で起立させるチルト手段３が設けられている。
【００１５】
前面パネル２には、中央部にキーボード本体５が設けられており、キーボード本体５の両側には、ハンドセット制御ボタンなどの複数の機能ボタン６と、ＬＥＤやランプよりなる表示部７及び図示しないハンドセットを接続するコネクタ８が設けられている。
【００１６】
またキーボード本体５の上方には、両側にスピーカ９が、そしてこれらスピーカ９の間に複数の上部ボタン１０及び表示部１１が設けられており、キーボード本体５の下方には、ほぼ中央部にマイクロホン１２が設けられている。
【００１７】
一方キーボード本体５は図２に示すように、上面に液晶表示部１４ａが設けられた液晶表示器１４を有しており、この液晶表示器１４の上面にほぼ同じ大きさの透明なガラス板１５が載置されている。
【００１８】
ガラス板１５と液晶表示部１４ａの間には、図４及び図５に示すように隙間ａが設けられていると共に、ガラス板１５上には、プリント基板１６と導電接点ゴム１７及びパネル１８が下から順に重ねられた状態で載置されている。
【００１９】
パネル１８には操作ボタン２０を設ける位置に、操作ボタン２０よりやや大きい複数のボタン孔１８ａが縦横に整列されて形成されていて、これらボタン孔１８ａにパネル１８の下方より操作ボタン２０が嵌挿されていると共に、各ボタン孔１８ａの間及び上段のボタン孔１８ａの上側には、横方向に細長い開口部１８ｂが開口されていて、これら開口部１８ｂより液晶表示部１４ａに表示された情報が見られるようになっている。
【００２０】
各操作ボタン２０は、例えば横方向に細長い長方形に形成されていて、両端側下部に突設され係止爪２０ａが、ボタン孔１８ａの下側開口縁に形成された段部１８ｃに下方より係合することにより、ボタン孔１８ａより各操作ボタン２０が上方へ抜け出さないようになっており、各操作ボタン２０の内底面には、長手方向に間隔を存して一対の突起２０ｂが突設されていて、これら突起２０ｂの先端に、導電接点ゴム１７の可動接点１７ａが下方より当接されている。
【００２１】
導電接点ゴム１７は図４及び図５に示すように、各操作ボタン２０毎に例えば一対の可動接点１７ａを有していて、これら可動接点１７ａは、テーパ状に形成された付勢部１７ｂの上部に一体に設けられており、これによって各操作ボタン２０は付勢部１７ｂにより可動接点１７ａを介して上方へ付勢されている。
【００２２】
また導電接点ゴム１７には、パネル１８に開口部１８ｂと合致する位置に、開口部１８ｂよりやや大きい開口部１７ｃが開口されていると共に、導電接点ゴム１７の下側に設けられたプリント基板１６の上面には、各可動接点１７ａ毎に固定接点１６ａが設けられている。
【００２３】
これら固定接点１６ａは銅箔をエッチング処理することにより形成されていて、操作ボタン２０を上方へ付勢する導電接点ゴム１７の付勢部１７ｂに抗して押しボタン２０を押圧することにより、導電接点ゴム１７の可動接点１７ａがプリント基板１６の固定接点１６ａに接触されるようになっており、このとき操作ボタン２０の係止爪２０ａがプリント基板１６に干渉しないよう、プリント基板１６には図４に示すように逃し孔１６ｂが各係止爪２０ａ毎に形成されている。
【００２４】
次に前記構成されたキーボード装置の作用を説明する。
【００２５】
電子機器を操作するに当っては、まずチルト手段３によりケース１を使用しやすい角度に調整する。
【００２６】
また電子機器の使用時には、各操作ボタン２０毎に液晶表示部１４ａにそのボタンの種類や機能などが情報として表示されるので、情報を基に操作ボタン２０を押圧して、電子機器を操作する。
【００２７】
操作ボタン２０が押圧されると、導電接点ゴム１７の付勢部１７ｂが弾性変形して、導電接点ゴム１７の可動接点１７ａがプリント基板１６上の固定接点１６ａに接触され、両接点１７ａ,１６ａが導通されると共に、操作ボタン２０へ加えられた押圧力はプリント基板１６へ伝達されるが、プリント基板１６の下側にはガラス板１７が設けられていて、このガラス板１７により押圧力が支持されるため、操作ボタン２０に加えられた押圧力でプリント基板１６が変形することがない。
【００２８】
一方液晶表示器１４の液晶表示部１４ａに外力が作用すると、液晶表示部１４ａにニュートンリングと称する渦状の波紋が発生して、液晶表示部１４ａに表示された情報が見にくくなることがあるが、操作ボタン２０に加えられた押圧力は、ガラス板１５に支持されて、直接液晶表示部１４ａに加わることがないので、液晶表示部１４ａにニュートンリングが発生するのを防止することができると共に、タッチパネルのように液晶表示部１４ａに指の脂や汚れが付着することがないため、視認性が悪化することもない。
【００２９】
またガラス板１５の上面にプリント基板１６を載置したことにより、プリント基板１６が湾曲していても、ガラス板１５により湾曲を修正することができる。
【００３０】
【発明の効果】
本発明は以上詳述したように、電子機器を操作すべくパネルに設けられた操作ボタンを押圧すると、操作ボタンを付勢する導電接点ゴムの付勢部が弾性変形する際クリック感が得られるため、操作ボタンの操作性が向上すると共に、液晶表示部の上側に操作ボタンを設けたことから、多数の操作ボタンを設ける場合でも、電子機器が大型化することがない上、予め大きさの決められた電子器に多数の操作ボタンを設ける場合でも、操作ボタンを小さくしたり、液晶表示部を小さくする必要がないので、操作ボタンの操作性が低下したり、液晶表示部の視認性が悪化することがない。
【００３１】
またプリント基板と液晶表示器の間に、透明なガラス板を設けると共に、液晶表示部とガラス板の間に隙間を形成したことから、電子機器を操作すべく操作ボタンを押圧した際操作ボタンに加えられた押圧力は、プリント基板の下側に設けられたガラス板に支持されるため、プリント基板が押圧力で変形しないように補強金具などでプリント基板を補強する必要がないので、キーボードの構造を簡素化することができる。
【００３２】
さらにガラス板と液晶表示部の間に設けられた隙間によって、操作ボタンに加えられた押圧力が直接液晶表示部に作用することがないので、操作ボタンの操作時液晶表示部にニュートンリングが発生するのを防止することができると共に、液晶表示部に指の脂や汚れなどが付着することがないので、長期間に亘って良好な視認性が得られるようになる。
【図面の簡単な説明】
【図１】本発明の実施の形態になるキーボード装置を実装した電子機器の斜視図である。
【図２】本発明の実施の形態になる電子機器のキーボード装置を示す斜視図である。
【図３】図２のＡ円内の拡大平面図である。
【図４】図３のＢ―Ｂ線に沿う断面図である。
【図５】図３のＣ−Ｃ線に沿う断面図である。
【符号の説明】
１４      液晶表示器
１４ａ    液晶表示部
１５      ガラス板
１６      プリント基板
１６ａ    固定接点
１７      導電接点ゴム
１７ａ    可動接点
１７ｂ    付勢部
１８      パネル
１８ａ    ボタン孔
１８ｂ    開口部
２０      操作ボタン
ａ      隙間
【図１】
0004461237.tif 000002
【図２】
0004461237.tif 000003
【図３】
0004461237.tif 000004
【図４】
0004461237.tif 000005
【図５】
0004461237.tif 000006